(57)【特許請求の範囲】
【請求項１】
走行機体の後部に苗植付け装置を昇降自在に連結するとともに、前記走行機体における運転ステップの横外側に補助ステップを拡張配備した乗用型田植機において、
前記補助ステップの後方にこの補助ステップよりも一段高い踏み台を設けるとともに、前記補助ステップの後端部より後方上方に立設した支持部材を前記踏み台の下方に入り込ませて平面視で当該踏み台と重複するように配設し、前記支持部材で前記踏み台の下から前記踏み台を支持し、
前記支持部材とは別に、前記補助ステップに立設した補強部材により前記踏み台を支持し、
前記補強部材を側面視で後方に凹む凹状に形成して凹状部分を平面視で前記踏み台の下方に入り込ませてあることを特徴とする乗用型田植機。
【請求項２】
前記補強部材を、下段の前記補助ステップの後端部から立設して上段の前記踏み台の前部を支持するようにしてある請求項１記載の乗用型田植機。
【請求項３】
前記支持部材は前記補助ステップを支持する周枠を後方上方に延設して前記踏み台を支持するものである請求項１または２記載の乗用型田植機。
【請求項４】
前記周枠に乗降用ステップを取付けてある請求項３記載の乗用型田植機。
【発明の詳細な説明】
【技術分野】
【０００１】
本発明は、走行機体の後部に苗植付け装置を昇降自在に連結した乗用型田植機に関する。
【背景技術】
【０００２】
例えば４条植え仕様の苗植付け装置を連結した乗用型田植機においては、走行機体の運転ステップの横幅が、苗植付け装置に備えられた苗載せ台の横幅より少し小さい程度であるので、運転ステップの横端に立つことで苗載せ台の最外側の条への苗補給を行うことができるのであるが、この走行機体に５条あるいは６条植えの苗植付け装置を連結した仕様に構成した場合、運転ステップの横端に立っても最外側の条へ手が届き難くなることがある。そこで従来より、例えば、特許文献１に開示されているように、運転ステップの横外側に補助ステップを拡張配備していた。この補助ステップの後部のステップ部は、後方が上位となる傾斜面に形成され、後端上部は補助ステップの外周枠を内側に曲げて延設された周枠を備えていた。
【０００３】
【特許文献１】特開平１１−８９３３６号公報
【発明の開示】
【発明が解決しようとする課題】
【０００４】
従来は、上記の補助ステップの後部の傾斜したステップ部や周枠に足を掛けて、苗補給をしていたが、足が乗せ難いものとなっており、改善の余地があった。
【０００５】
本発明は、このような点に着目してなされたものであって、苗載せ台に苗を補給するときに作業者がより安定して後方に移動できるようにして、より一層苗載せ台への苗補給を行ないやすくすることを主たる目的としている。
【課題を解決するための手段】
【０００６】
第１の発明は、走行機体の後部に苗植付け装置を昇降自在に連結するとともに、前記走行機体における運転ステップの横外側に補助ステップを拡張配備した乗用型田植機において、
前記補助ステップの後方にこの補助ステップよりも一段高い踏み台を設けるとともに、前記補助ステップの後端部より後方上方に立設した支持部材を前記踏み台の下方に入り込ませて平面視で当該踏み台と重複するように配設し、前記支持部材で前記踏み台の下から前記踏み台を支持し、
前記支持部材とは別に、前記補助ステップに立設した補強部材により前記踏み台を支持し、
前記補強部材を側面視で後方に凹む凹状に形成して凹状部分を平面視で前記踏み台の下方に入り込ませてあることを特徴とする。
【０００７】
上記構成によると、走行機体の運転ステップの横外側に拡張配備した補助ステップの後方に一段高く設けた踏み台に足を乗せることにより、従来よりも安定して足を踏み台に乗せながら、遠くまで手を伸ばせて容易に苗補給を行なうことができる。これによって、補助ステップの幅を従来のものに比べて広げない、又はあまり幅を広げなくても６条型から８条型のより大きい苗植付装置を備えた田植機にも対応できる。
そして、前記踏み台は拡張した補助ステップ側から支持部材を立設して踏み台の下方を支持しているので、補助ステップと踏み台とを一体化して、一体化した補助ステップと踏み台とをユニットとして機体に取付けることによって走行機体に設けることができるので、取付けが簡単で且つ安価に実施できる。
又、一方の足を補助ステップに残した状態で片足を踏み台に乗せて苗補給をするときに、補助ステップに残した足のつま先を後方の凹状部分に入れて一方の足を多少踏み台の下に潜り込ませることにより、体を安定した状態でより後方に移動させることができ作業性をより向上させることができた。
【０００８】
従って、第１の発明によると、苗補給が楽に行なえる。又、従来よりも植付条数の多い苗植付装置を備えた乗用型田植機に対してでも走行機体の左右幅を従来より広げない、若しくはあまり広げないでも苗補給ができるとともに、簡単かつ安価に実施できる構造で補助ステップ及び補助ステップよりも一段高い踏み台を備えることができた。
【０００９】
第２の発明は、上記第１の発明において、
前記補強部材を、下段の前記補助ステップの後端部から立設して上段の前記踏み台の前部を支持するようにしてある。
【００１０】
上記構成によると、踏み台を支持部材と補強部材とで強固に固定することとなる。
【００１１】
【００１２】
【００１３】
第３の発明は、上記第１または２の発明において、
前記支持部材は前記補助ステップを支持する周枠を後方上方に延設して前記踏み台を支持するものである。
【００１４】
上記構成によると、補助ステップを支持する周枠を後方上方に延設するだけで補助ステップ支持用の周枠を踏み台の支持部材として共用でき、踏み台を支持するための専用の支持部材が不要となり、構造簡単で安価に作製することができるとともに丈夫な支持構造とすることができた。
【００１５】
第４の発明は、上記第３の発明において、
前記周枠に乗降用ステップを取付けてある。
【００１６】
これによって、補助ステップを走行機体に取り付けるだけで、簡単に踏み台と乗降用ステップを備えることができた。
【発明を実施するための最良の形態】
【００１７】
図１に本発明に係る乗用型田植機の全体側面図が、また、図２にその全体平面図がそれぞれ示されている。この乗用型田植機は、操向自在な左右一対の前輪１と操向不能な左右一対の後輪２とを備えた四輪駆動型の走行機体３の後部に、６条植え仕様に構成された苗植付け装置４が、油圧シリンダ５によって駆動される四連リンク構造のリンク機構６を介して昇降自在に連結された基本構造を備え、かつ、走行機体３の後部に施肥装置７が装備されるとともに、走行機体３の前部左右に予備苗載せ台８が立設配備された構造となっている。
【００１８】
走行機体３には、前輪１を軸支したミッションケース９が配備され、このミッションケース９の後部左右に上下揺動可能に連結されたスイングケース１０の後端に前記後輪２が軸支されている。ミッションケース９から前方に延出された前フレーム１１に、図示されないエンジンをボンネット１２内に収容した原動部１３が装備され、エンジン動力がミッションケース９にベルト伝達されるようになっている。原動部１３の後部上方に前輪操向用のステアリングハンドル１４が配備されるとともに、走行機体３の後部に運転座席１５が設けられている。原動部１３と運転座席１５の間の足元に運転ステップ１６が配備されるとともに、運転座席１５の左右に上方に隆起されたフェンダ部１７が配備されている。
【００１９】
前記苗植付け装置４は、６条分の苗を並列載置して設定ストロークで左右に往復移動される苗載せ台２１、苗載せ台２１の下端から１株分づつ苗を切り出して圃場に植付けてゆく６組の回転式の植付け機構２２、植付け箇所を整地するよう左右に並列配備された３個の整地フロート２３、等を備えて構成されており、ミッションケース９の後部から取り出された作業用動力が伸縮伝動軸２４を介して苗植付け装置４に伝達されるようになっている。
【００２０】
前記施肥装置７は、運転座席１５と苗植付け装置４との間において走行機体３上に搭載されており、粉粒状の肥料を貯留する肥料ホッパー２５、この肥料ホッパー２５内の肥料を設定量づつ繰り出す繰出し機構２６、繰り出された肥料を供給ホース２７を介して前記整地フロート２３に備えた作溝器２８に風力搬送する電動ブロワ２９、などを備えている。
【００２１】
前記運転ステップ１６は金属板材をプレス加工して形成されたものであり、その前端部が前記原動部１３の左右まで延出されるとともに、運転ステップ１６の後部はフェンダ部１７に連結されている。
【００２２】
前記運転ステップ１６の左右両横には、前後に細長い補助ステップ３５が前輪１の上方に重複して配備されて、運転部足元が左右に拡張されている。この補助ステップ３５はスノコ状に樹脂成形されたものであり、その前半部における平面形状は、その外側辺が機体内方に向けて傾斜する先狭まり形状に形成されて、運転者が補助ステップ３５を通して前輪１を見通すことができるようになっている。
【００２３】
図３、４に示すように、前記補助ステップ３５は丸パイプ材からなる周枠３６の内側に配備され、周枠３６に備えられた支持枠３７と支持ブラケット３８とにネジ連結されている。尚、周枠３６は支持枠３７に連結した支持フレーム３０、３０ａ、３１、３１ａを介して図外の走行機体３側の部材に連結支持されている。
【００２４】
図３に示すように、周枠３６の後部（支持部材３６ａ）は補助ステップ３５よりも後方上方に延出され、該周枠３６の延出端側を左右方向水平に屈曲させて補助ステップ３５より一段高く板金プレス構造の踏み台４０を連結支持してある。踏み台４０は、苗載せ台２１への苗補給の際に利用されるものであり、運転者が補助ステップ３５の後部と踏み台４０に亘って載り立つことで苗載せ台２１の端部へも手が届く状態となる。
【００２５】
前記踏み台４０は周枠３６を後方に延出した前記支持部材３６ａと、周枠３６に備えられた前記補助ステップ３５の後端の支持枠３７から立設して踏み台４０の前側に連結した補強部材４４とで強固に支持されている。前記支持部材３６ａを踏み台４０の下方に入り込ませて平面視で踏み台４０と重複するように配設し、該支持部材３６ａで踏み台４０の下から踏み台４０を支持してある。
【００２６】
前記補強部材４４は、左右方向に３本並設されており、側面視で図７に示すように、後方にくの字状に凹んだ形状に形成して凹状部分を平面視で踏み台４０の下方に入り込ませてあり、これによって、一方の足を補助ステップ３５に残した状態で片足を踏み台４０に乗せて苗補給をするときに、補助ステップ３５に残した足のつま先を後方の凹状部分に入れて一方の足を多少踏み台４０の下に潜り込ませることにより、体を安定した状態でより後方に移動させることができ、作業をし易くしてある。
【００２７】
前記周枠３６から下方に延出されたＵ形の支持杆４１の下端には乗降用ステップ４２が備えられている。乗降用ステップ４２の機体左右方向内側に補助支持杆４３を設けて、乗降用ステップ４２を補強している。補助支持杆４３の下部はつま先が入るように、且つ、操向操作される前輪１との干渉を避けるように、図５、６に示すように、機体内側に膨出させるとともに、膨出部側程後方位置となるように配置してある。
【００２８】
図５、６、７に示すように、右側の補助ステップ３５の下方で、前記補助支持杆４３よりも後方側に、燃料タンク５３を設けてある。乗降用ステップ４２側の燃料タンク５３の外形は補助支持杆４３との干渉を避けるために一部凹ませてある。燃料タンク５３の注油口５４は、燃料タンク５３の上部の横側面から横外方斜め後方上方に延出させて、側面視で４５度後方上方に延設してある。注油口５４にキャップ５５を締めた状態で、キャップ５５の上縁が補助ステップ３５及びその横外方の周枠３６の上面よりも多少下方に位置するようにして、搭乗者の足で踏まれないようにしてある。注油口５４の開口部下端縁は燃料タンク５４の上面よりも高い位置まで上方に延設して設けてあり、これによって燃料が満タンになっても注油口５４から溢れ出ないようにしてある。
【００２９】
図１、２に示すように、前記予備苗載せ台８は、前フレーム１１から横外方に延出された支持アーム４５の先端部に取付けられており、支柱４６の上部に、苗支持板４７が上下３段に装着された構造となっている。
【００３０】
運転座席１５の背凭れ部６０の背面には、図８、９に示すように、ノートや取扱説明書が入れられるようにネット状のポケット６１を設けてある。
【００３１】
図８に示すように、機体フレームに座席支持枠６２を固定し、座席支持枠６２に形成した左右一対のアーム６３の先端に運転座席１５の下面の取付片６４を横向き姿勢の支軸６５周りで揺動自在に支持し、座席支持枠６２の上面に備えた防振ゴム６６の上面に運転座席１５の下面を受け止めることで運転座席１５が着座姿勢に維持されている。又、支軸６５周りで運転座席１５の後部を持ち上げる方向に揺動させることで座席支持枠６２の上面が露出される。この座席支持枠６２には開口６７を形成してある。座席支持枠６２の左側のアーム６３のフランジ部６３ａと開口６７の周囲に設けられたフランジ部６２ａとにコントローラ取付けブラケット６８、６９を設け、これにボルト７０、７１を介してフロートセンサ等の各種センサの検出に基づいて出力して昇降制御等の制御をするコントローラ７２を取付けてある。
このコントローラ７２の上面７３は前方程上位となるように傾斜させて雨などの水滴が付着しても水はけのよいようにしてある。
【００３２】
〔他の実施の形態〕
前記した実施の形態では、補助ステップ３５の周枠３６を延長してその延長部分を踏み台４０を支持する支持部材３６ａとしたが、この支持部材３６ａは、周枠３６とは別に補助ステップ３５の後端側から立設した部材であってもよい。
【図面の簡単な説明】
【００３３】
【図１】乗用田植機の全体側面図
【図２】乗用田植機の全体平面図
【図３】補助ステップ取付け構造の分解平面図
【図４】６条植え仕様における補助ステップ前部の取付け構造を示す正面図
【図５】右側の補助ステップ下方の乗降用ステップ及び燃料タンクを示す正面図
【図６】右側の補助ステップ下方の乗降用ステップ及び燃料タンクを示す平面図
【図７】右側の補助ステップ下方の乗降用ステップ及び燃料タンクを示す側面図
【図８】運転座席及びその下部構造を示す一部破断側面図
【図９】運転座席の背凭れ部の背面に設けたポケットを示す正面図
【符号の説明】
【００３４】
３                走行機体
４                苗植付け装置
１６              運転ステップ
３５              補助ステップ
３６              周枠
３６ａ            支持部材
４０              踏み台
４２              乗降用ステップ
４４              補強部材
【図１】
0004594876.tif 000002
【図２】
0004594876.tif 000003
【図３】
0004594876.tif 000004
【図４】
0004594876.tif 000005
【図５】
0004594876.tif 000006
【図６】
0004594876.tif 000007
【図７】
0004594876.tif 000008
【図８】
0004594876.tif 000009
【図９】
0004594876.tif 000010